(57)【要約】【課題】片手で容易に開封片を破断して開封口を形成することができ、その際に紙粉発生量が少ない感光記録材料用包装箱を提供すること。【解決手段】蓋部の閉鎖時に差し込みフラップ１３が隣接している箱本体の正面パネル２１の取り出し口側に、離れた２カ所から箱本体の底部へ且つ正面パネルの上辺に対して６０°以上９０°未満の同じ角度で切断部３７及び非切断部３９が交互に配列された２つのミシン線３３が形成される。各ミシン線の切断部３７は、破断方向に延びる主線４５と各ミシン線の始端側が破断方向より外側に開いて形成されている導入線４７とから構成され、主線の終端から正面パネルの上辺に垂直な仮想線を直下の切断部に下ろしたときに、仮想線が直下の切断部における導入線４７の長さを三等分した中央の領域を通過する。各ミシン線の非切断部３９の長さは、取り出し口に近い側で短く、底部に近い側では長くなっている。【選択図】図１
2007119067.tif 000002
【特許請求の範囲】
【請求項１】
感光記録材料を収容し断面が矩形の箱本体と、感光記録材料の取り出し口を開閉可能であり且つ前記箱本体と一体に形成される蓋天板及び差し込みフラップを有する蓋部とを備える包装箱において、
前記蓋部の閉鎖時に前記差し込みフラップが隣接している前記箱本体の正面パネルの前記取り出し口側には、取り出し口の全幅の５０〜７５％に相当する距離だけ離れた２カ所から前記箱本体の底部へ向かい、且つ前記正面パネルの上辺に対して６０°以上９０°未満の同じ角度で、互いの方へ近づくように、切断部及び非切断部が交互に配列された２つのミシン線が形成されており、前記２つのミシン線と各ミシン線の上端同士及び下端同士を結ぶ線によって囲まれた領域が、前記各ミシン線を破断したときに前記取り出し口から感光記録材料を取り出し易くするための開封口を形成するためのほぼ台形状の開封片を構成し、
前記各ミシン線の切断部は、破断方向に延びる主線と各切断部の始端側が前記破断方向より外側に開いて形成されている導入線とから構成されており、前記主線の終端から前記正面パネルの上辺に垂直な仮想線を直下の切断部に下ろしたときに、この仮想線が直下の切断部における導入線の長さを三等分した中央の領域を通過するように各切断部が配置されていることを特徴とする感光記録材料用包装箱。
【請求項２】
請求項１において、前記感光記録材料用包装箱は段ボールで構成されていることを特徴とする感光記録材料用包装箱。
【請求項３】
請求項２において、前記段ボールのフルートは前記正面パネルの上辺と平行に形成されており、前記２つのミシン線における各対応する切断部の位置は、前記段ボールのフルートの１ピッチの３分の１〜３分の２の距離に相当する分だけ正面パネルの上辺に垂直な方向にずれていることを特徴とする感光記録材料用包装箱。
【請求項４】
請求項１〜３のいずれか１項において、前記各ミシン線の非切断部の長さは、前記取り出し口に近い側で短く、底部に近い側では長くなっていることを特徴とする感光記録材料用包装箱。
【請求項５】
請求項１〜４のいずれか１項において、前記正面パネルの上辺上に位置する前記２つのミシン線の開始端は丸みを帯びていることを特徴とする感光記録材料用包装箱。
【請求項６】
請求項１〜５のいずれか１項において、少なくとも前記正面パネルの上辺は小さな波型状に切断されていることを特徴とする感光記録材料用包装箱。
【請求項７】
請求項１〜６のいずれか１項において、感光記録材料用包装箱の印刷面とは反対側の面から罫線の型押しを行い、前記罫線を谷折りして箱を成形したことを特徴とする感光記録材料用包装箱。
【発明の詳細な説明】
【技術分野】
【０００１】
本発明は、Ｘレイフィルム等の感光記録材料の包装に適した包装箱に係り、特に取り出し口から感光記録材料を取り出しやすくするために取り出し口に隣接して開封口が形成できるような感光記録材料用包装箱に関する。
【背景技術】
【０００２】
Ｘレイフィルム等の感光記録材料を包装箱から取り出し易くするために、従来は図６（ａ）及び図６（ｂ）に示すように、取り出し口１０１に隣接して開封口１０３を形成できるタイプのものが存在していた。
【０００３】
図６（ａ）に示すタイプは、取り出し口１０１から１０ｃｍ程度の位置に取り出し口１０１と平行に横ジッパ１０５が形成されているものであり、使用時には横ジッパ１０５を破り、次いで開封片１０７を下から上へ破って開封口１０３を開放可能にするものである（特許文献１参照）。
また図６（ｂ）に示すタイプは、取り出し口１０１に隣接する正面パネル１０９の上部の両端に取り出し口１０１と垂直方向にそれぞれミシン目１１１が形成されており、使用時にはまず開封テープ１１３を破り、次いで開封片１０７を上から下へ破って開封口１０３を開放可能にするものである。
【０００４】
しかし前者のタイプでは、横ジッパ１０５が長いので紙粉の発生量が多い。感光記録材料を収容する遮光防湿袋が帯電すると、発生した紙粉がこれに付着してイメージャのトレー内に運び込まれ、この紙粉が明室装填の際に未露光フィルムに付着すると「白ヌケ」と呼ばれる故障の原因となる。
また後者のタイプでは、ミシン目１１１が折り曲げ罫線を兼ねているので、ミシン目１１１の破断部分が短いと製函時にミシン目が切れたり圧縮強度が低下したりする一方、破断部分が長いと大きな開封力を必要とする。とりわけ幅広の箱ではミシン目１１１の間隔が広いので、両手を使ってミシン目１１１に平行に開封しないと上手く開封できない場合がある。
【特許文献１】特開平８−１１４８８９号公報
【発明の開示】
【発明が解決しようとする課題】
【０００５】
従来の包装箱が有している上記の問題点を考慮して、本発明は、片手で容易に開封片を破断して開封口を形成することができ、その際に紙粉発生量が少ない感光記録材料用包装箱を提供することを課題とした。
【課題を解決するための手段】
【０００６】
本発明者は鋭意検討を重ねた結果、以下の構成を有する本発明の感光記録材料用包装箱によれば上記の課題を解決し得ることを見い出した。
【０００７】
本発明の感光記録材料用包装箱は、感光記録材料を収容し断面が矩形の箱本体と、感光記録材料の取り出し口を開閉可能であり且つ前記箱本体と一体に形成される蓋天板及び差し込みフラップを有する蓋部とを備える包装箱において、前記蓋部の閉鎖時に前記差し込みフラップが隣接している前記箱本体の正面パネルの前記取り出し口側には、取り出し口の全幅の５０〜７５％に相当する距離だけ離れた２カ所から前記箱本体の底部へ向かい、且つ前記正面パネルの上辺に対して６０°以上９０°未満、好ましくは７０°以上８０°以下の同じ角度で互いの方へ近づくように、切断部及び非切断部が交互に配列された２つのミシン線が形成されており、前記２つのミシン線と各ミシン線の上端同士及び下端同士を結ぶ線によって囲まれた領域が、前記各ミシン線を破断したときに前記取り出し口から感光記録材料を取り出し易くするための開封口を形成するためのほぼ台形状の開封片を構成し、前記各ミシン線の切断部は、破断方向に延びる主線と各切断部の始端側が前記破断方向より外側に開いて形成されている導入線とから構成されており、前記主線の終端から前記正面パネルの上辺に垂直な仮想線を直下の切断部に下ろしたときに、この仮想線が直下の切断部における導入線の長さを三等分した中央の領域を通過するように各切断部が配置されていることを特徴とするものである（第１の態様）。
【０００８】
上記発明において、上記感光記録材料用包装箱は段ボールで構成されていてもよい（第２の態様）。
【０００９】
また上記発明において、前記段ボールのフルートは前記正面パネルの上辺と平行に形成されており、前記２つのミシン線における各対応する切断部の位置は、前記段ボールのフルートの１ピッチの３分の１〜３分の２の距離に相当する分、好ましくは２分の１の距離に相当する分だけ正面パネルの上辺に垂直な方向にずれていてもよい（第３の態様）。
【００１０】
また上記発明において、前記各ミシン線の非切断部の長さは、前記取り出し口に近い側で短く、底部に近い側では長くなっていてもよい（第４の態様）。
また上記発明において、前記正面パネルの上辺上に位置する前記２つのミシン線の開始端は丸みを帯びていてもよい（第５の態様）。
【００１１】
また上記発明において、上記正面パネルの上辺は小さな波型状に切断されていてもよい（第６の態様）。
【００１２】
また上記発明において、感光記録材料用包装箱の印刷面とは反対側の面から罫線の型押しを行い、上記罫線を谷折りして箱を成形することができる（第７の態様）。
【発明の効果】
【００１３】
第１の態様によれば、開封片の中央の１カ所を指で摘み下方へ引くだけで、２つのミシン線に対して、ミシン線の非切断部を破断するのに十分な力が効率的に作用するので、片手でも容易に２つのミシン線を破断することができる。また２つのミシン線のトータルの長さが比較的短いため、破断時の紙粉の発生量を抑えることができる。
【００１４】
第２の態様によれば、強度が強く、遮光性に優れた感光記録材料用包装箱を提供できる。
【００１５】
第３の態様によれば、２つのミシン線は段ボールの破断しやすい箇所と破断しにくい箇所を平準化して残して設けられているので、開封力のバラツキを小さくすることができる。
【００１６】
第４の態様によれば、更に各ミシン線の非切断部の長さが、取り出し口に近い側で短く、底部に近い側では長くなっているので、ミシン線の切断開始時にはより切れ易く、一旦切れ始めたら一気に切断できるようなミシン線が実現できる。
第５の態様によれば、作業者が開封片を開けるときに尖端で手を怪我することを防止できる。
【００１７】
第６の態様によれば、作業者が段ボールの切断縁部で手を切ることを防止できる。
【００１８】
第７の態様によれば、罫線を折り曲げて包装箱を形成するときに箱寸法のバラツキが抑えられ、自動箱詰め機で製品詰まりや差し込みフラップ挿入ミスなどの異常を防止できる。
【発明を実施するための最良の形態】
【００１９】
以下、本発明の感光記録材料用包装箱について、図面を参照しながら詳細に説明する。
図１は本発明を適用した感光記録材料用包装箱（以下、包装箱という）の閉鎖時における全体を示す斜視図であり、図２の（ａ）は包装箱の横開きタイプの展開図であり、図２の（ｂ）は包装箱の縦開きタイプの展開図であり、図３の（ａ）は閉鎖時における開封片周辺の拡大図、（ｂ）は開放時における開封片周辺の拡大図であり、図４の（ａ）（ｂ）はミシン線の拡大図であり、図５は左右のミシン線を上下にずらした様子を示す説明図である。尚、以下の説明において包装箱の上下左右について触れる場合には、図１に示す包装箱１を基準にするものとする。
【００２０】
本発明の包装箱１は、内装袋３によって密封された感光記録材料Ｍを収容し、長手方向及び短手方向を有する断面が矩形の箱本体５を主体とする。箱本体５の上部には開放時に感光記録材料Ｍの取り出し口７が形成されるようになっており、閉鎖時には取り出し口７は開閉可能な蓋部９によって閉鎖されている。蓋部９は、箱本体５と一体に形成される蓋天板１１及びこれに接続する差し込みフラップ１３を有する。包装箱１は例として図２の（ａ）に示すような横開きタイプの展開図１５や、図２の（ｂ）に示すような縦開きタイプの展開図１５を組み立てることで形成される。尚、図２の（ａ）、図２の（ｂ）中、一点鎖線は谷折れ罫線、二点鎖線は山折り罫線を示し、展開図内の実線は破断線を示す。包装箱１は例えばＥフルート（段数が約９４／３００ｍｍ）やＦフルート（段数が約１２０／３００ｍｍ）のようなマイクロフルート段ボールで形成されており、図２の（ａ）、図２の（ｂ）中符号１７で示す方向、即ち後述する正面パネル２１の上辺と平行にフルートが延び、また符号１９で示す方向がライナの紙目の方向となっている。
【００２１】
図１に示すように、蓋部９の閉鎖時に差し込みフラップ１３が隣接する側の箱本体５の面は正面パネル２１となっており、正面パネル２１と対向して背面パネル２３が設けられ、正面パネル２１及び背面パネル２３の間の両端に側面パネル２５が設けられ、箱本体５の底部には底面パネル２７が設けられている。
【００２２】
正面パネル２１の取り出し口７側には、取り出し口７の全幅２９の５０〜７５％の間隔をおいて離れた２カ所から箱本体５の底面へ向かい２つのミシン線３１、３３が形成されている。２つのミシン線３１、３３は、正面パネル２１の上辺３５に対して角度αが６０°以上９０°未満、好ましくは７０°以上８０°以下の同じ角度で互いの方へ近づくように傾斜して形成されている。なお本実施形態では７５°になっている。
【００２３】
本実施形態では、ミシン線３１、３３は各々６組の切断部３７と非切断部３９とが交互に配列された組み合わせで構成されている。そして２つのミシン線３１、３３、上辺３５、および山折り罫線から成るヒンジ４０によって囲まれたほぼ台形の領域が開封片４１を構成し、各ミシン線３１、３３を破断したときに開封片４１を開くことにより、感光記録材料Ｍを取り出し口７から取り出し易くするための開封口４３が形成されるようになっている。また正面パネル２１の上辺３５の中央には、蓋部９を開ける際に差し込みフラップ１３に指を掛けやすくするための切り欠き部５５が形成されている。
【００２４】
各ミシン線３１、３３の切断部３７は、図４（ａ）（ｂ）中に示す破断方向４４に延びる主線４５と各ミシン線３１、３３の始端側（取り出し口７に近い側）が破断方向より外側に開いて形成されている導入線４７とから構成されている。また各隣接する切断部３７間の位置関係は、図４（ａ）（ｂ）に示すように、上側に位置する切断部３７の主線４５の終端（底面パネル２７に近い側の端部）から正面パネル２１の上辺３５に垂直な仮想線５９を直下の導入線４７に下ろしたときに、導入線４７の長さを三等分した中央の領域４９を通過するように構成されている。
【００２５】
各ミシン線３１、３３の非切断部３９の長さ（すなわち仮想線５９の長さ）は、図４（ａ）に示すように全て同じ長さとしてもよいし、図４（ｂ）に示すように取り出し口７に近い側で非切断部３９を短くし、底部に近い側では非切断部３９’を長くしてもよい。例えば図４（ｂ）に示す実施形態のように６組の切断部３７及び非切断部３９がある場合、取り出し口７に近い側の３つの非切断部３９の長さを３ｍｍとし、残りの非切断部３９’の長さを３．５ｍｍとしたり、あるいは図示しないが取り出し口７に近い側から順に非切断部３９の長さが次第に長くなっていく構成とすることができる。
開封片４１を開く動作は、力点を切り欠き部５５、支点をヒンジ４０、作用点を非切断部３９とする、てこの原理に他ならない。開き始めは力点のすぐ内側に作用点があるので、非切断部に加わる力はあまり増幅されないが、開き終わりには支点のすぐ外側まで作用点が移るので、力点に小さな力をかけるだけで非切断部３９の破断は最後まで容易に進行する。
包装箱１は、未開封の状態では取り出し口７に近い側の３つの非切断部３９の下に差し込みフラップ１３が挿入されているので、正面パネル２１に垂直方向の荷重がかかったり包装箱１を乱暴に扱ったりしても、ミシン線３１、３３の非切断部３９が不用意に破断することはない。また、残りの非切断部３９’の長さを長くしても、開き終わりが重くなることもない。このような構成により、切断開始時にはより切れ易く、一旦切れ始めたら一気に切断でき、しかも丈夫なミシン線が実現できる。
【００２６】
図５に示すように、２つのミシン線３１、３３における各切断部３７の位置は、段ボールのフルートの１ピッチ５１の３分の１〜３分の２、好ましくは２分の１の距離に相当する分だけ、正面パネル２１の上辺３５に垂直な方向にずれている。このような構成により、２つのミシン線３１、３３においては段ボールの破断しやすい箇所と破断しにくい箇所が平準化して破断されるため、開封力のバラツキを小さくすることができる。
【００２７】
次にミシン線３１、３３の周辺の構成について説明する。図３（ａ）に示すように、正面パネル２１の上辺３５上に位置する２つのミシン線３１、３３の開始端５３はその両側が丸みを帯びており、作業者が開封片４１を開けるときに尖端で手を怪我することがないようにしている。上記の切り欠き部５５を含み、少なくとも正面パネル２１の上辺３５の全ての領域は、段ボールの切断縁部で手を切らないように、図４（ａ）（ｂ）に示すように小さな波型５７状に切断されている。
【００２８】
本発明の包装箱１では、図２の（ａ）、図２の（ｂ）の展開図１５に示す面の裏面が印刷面となっており、印刷面とは反対側の面、即ち展開図１５に示す面側から一点鎖線および二点鎖線で示す罫線の型押しを行っている。これにより、罫線を折り曲げて包装箱を形成するときに、箱寸法のバラツキが抑えられ、自動箱詰め機で製品詰まりや差し込みフラップ挿入ミスなどの異常を防止できる。
【産業上の利用可能性】
【００２９】
本発明の感光記録材料用包装箱は、様々な種類の感光記録材料を包装するための包装箱として広く利用することが可能である。特に、レーザーイメージャー用など現像液を使わない医療用フィルムなどのＸレイフィルム用の包装箱として好ましく使用することができる。
【図面の簡単な説明】
【００３０】
【図１】本発明を適用した感光記録材料用包装箱の閉鎖時における全体を示す斜視図である。
【図２（ａ）】包装箱の横開きタイプの展開図である。
【図２（ｂ）】包装箱の縦開きタイプの展開図である。
【図３】（ａ）は閉鎖時における開封片周辺の拡大図、（ｂ）は開放時における開封片周辺の拡大図である。
【図４】ミシン線の拡大図である。
【図５】左右のミシン線を上下にずらした様子を示す説明図である。
【図６】従来の２つの包装箱を示す正面図である。
【符号の説明】
【００３１】
１  （感光記録材料用）包装箱
３  内装袋
５  箱本体
７  取り出し口
９  蓋部
１１  蓋天板
１３  差し込みフラップ
１５  展開図
１７  フルートの延びる方向
１９  ライナの紙目の方向
２１  正面パネル
２３  背面パネル
２５  側面パネル
２７  底面パネル
２９  取り出し口の全幅
３１  ミシン線
３３  ミシン線
３５  正面パネルの上辺
３７  切断部
３９  非切断部
３９’ 非切断部
４０  ヒンジ
４１  開封片
４３  開封口
４４  破断方向
４５  主線
４７  導入線
４９  中央の領域
５１  段ボールのフルートの１ピッチ
５３  ミシン線の開始端
５５  切り欠き部
５７  小さな波型
５９  仮想線
Ｍ  感光記録材料
【図１】
2007119067.tif 000003
【図２（ａ）】
2007119067.tif 000004
【図２（ｂ）】
2007119067.tif 000005
【図３】
2007119067.tif 000006
【図４】
2007119067.tif 000007
【図５】
2007119067.tif 000008
【図６】
2007119067.tif 000009